(57)【要約】 【課題】    芸人・パフォーマーが優れた技術・芸を持っていたとしても、実に世の中に発表するには芸能プロダクション等の一方的主観的な判断に委ねられ売り出すことが困難であることが現状である。また、ユーザーが芸人・パフォーマーを捜す場合も手軽にその技術・芸を見て契約することは難しい。【解決手段】芸人・パフォーマーの持っている技術・芸をデジタルデータ化し、動画の配信出来る形にしたものをコンピューターにて管理して、インターネット上で公開する。ユーザーは、自己のコンピューターを用いてインターネットに接続することだけで、別途専門ソフトのインストールの必要もなく、容易に閲覧することができる。【選択図】  図１
2005234675.tif 000002
【特許請求の範囲】
【請求項１】
プロの芸人・パフォーマーが行う自分の芸を動画画像でデジタルデータ化したものをプロフィール等と共にインターネット上で公開し、公開された動画画像等を基にして会員が芸人・パフォーマーの検索を行って該当者に出演依頼を出せ、またイベント等へ出演を希望する芸人・パフォーマーを結びつけるアナログとデジタルを結びつけたコンテンツシステム。
【請求項２】
自分の企画しているイベント等を盛り上げる意図の下に一番マッチした芸人・パフォーマーを探すべくユーザーとのマッチングをインターネット上にてはかるために、会員たるユーザーが、コンピューターにて芸人・パフォーマーの分野別、あるいは出演報酬別など様々な条件で芸人を検索するシステム。
【請求項３】
芸人・パフォーマーは自分の芸やパフォーマンスをこの芸人市場ドットコムに登録することによって新しい芸人を捜しているユーザーの目に触れるチャンスが与えられる。ユーザーは、インターネットを通して大衆芸能の普及に寄与することとなる。
【発明の詳細な説明】
【技術分野】
【０００１】
本発明は、インターネットのブロードバンド環境を利用したコンテンツシステムに関する。
【背景技術】
【０００２】
従来、ユーザーが芸人・パフォーマーを自分のイベントに招致しようと考えた場合は通常、プロダクションや興行師を経由して契約するか、自分に直接関係のある芸人と直接交渉するしかなかった。また芸人・パフォーマーとしても自分の芸を発表しようとする場合には、芸能プロダクションに登録したり、興行師を仲介して発表するのが一般であった。あるいは自分でメディアに売り込んで有名になり、ユーザーの目にとまる道もあるがごく一握りの芸人・パフォーマーしか実現出来ない。
【０００３】
また、これまでもインターネット上で個人的に自分の芸を伝えようとするホームページやプロダクションなどが設置するホームページはあったが、それらは既に有名になった芸人・パフォーマーについて対象となるものであって、世の中に自己の芸を発表したくともそのすべのない者は現実的に将来を閉ざされる状態である。したがってこれらは新たな芸人・パフォーマーの発掘に繋がるものではない。
【０００４】
また、既存のホームページでは、これまで紙によって伝達していた芸人・パフォーマーの情報を単にホームページに掲載しているものがほとんどであり、今回のシステムのように芸人側が自分の出演料や条件などを提供し、ユーザー側もその条件を提供しあう自由市場のような情報を出し合い、登録することができるものは少ないと思われる。
【０００５】
また、今回のシステムは芸人・パフォーマーとユーザーを結びつけた後のアフターフォローとして、両者の関係を円滑に推進させるための相談・苦情等について、芸人市場ドットコムを通じて常時応じる。
【発明の開示】
【発明が解決しようとする課題】
【０００６】
このように、芸人・パフォーマーが自分の技術を磨き世の中に発表しようとしても、実際に発表されるかどうかは、芸能プロダクションや興行師の一方的主観的な判断に委ねられ、ほとんど世に出ないのが現状である。
【０００７】
また、芸人・パフォーマーが自らの費用負担において、自己の芸を発表しようとしても、ユーザーのニーズに応じた作品を的確につかむ事は困難である。
【０００８】
ユーザーとしても、既存の流通システムに則した芸人・パフォーマー情報しか入手できず、その手続きも煩雑で廉価ではなかった。しかもその芸人・パフォーマーがどのような芸が出来るのか自分の目で確かめる事が難しくかった。
【０００９】
また、将来の顧客としての一般ユーザーも気軽に動画を見てその芸人・パフォーマーの情報を知ることが出来るので新規芸人の発掘に資する。
【課題を解決するための手段】
【００１０】
本発明では、芸やパフォーマンスの発表を希望する芸人・パフォーマーの情報をデジタルデータ化したものをコンピューターにて管理して、インターネット上で公開する。特に既存のものと区別される顕著な発明としては、特殊な専用ソフトを利用することなく、本システムのホームページにアクセス出来れば気軽に動画でその芸の一部を閲覧することが出来る点である。
【００１１】
インターネット上で公開された芸人・パフォーマーの芸やパフォーマンスに対して、ユーザーは本システム上で芸人市場ドットコム宛に申し込む。
【００１２】
芸人市場ドットコムではこれを受けて、芸人・パフォーマーと調整をとり、出演までフォローする。
【００１３】
会員は、芸人市場ドットコムを通して、芸人・パフォーマーに対してインターネット上で出演依頼が出来る。
【発明の効果】
【００１４】
本発明により、これまで発表・閲覧の場や媒体が限られていた多種の芸人・パフォーマー等が身近なブロードバンド環境を利用したインターネット上でパフォーマンスを発表・閲覧することが可能になる。
【００１５】
同時に、ユーザーは既存の流通システムに乗っていない芸人・パフォーマーの芸を動画によって閲覧することができ、その中で、自ら出演を希望する芸人・パフォーマーを自分の条件に合わせた検索により選ぶことが出来る。
【００１６】
芸人・パフォーマーは芸能プロダクション等の意向に関わらずに自らの自由意思で自己の芸・パフォーマンスについてインターネットを通じて不特定多数を対象とした全世界へ発表することができる。
【００１７】
芸人・パフォーマーにとって、出演可能性の高い作品の公開方法を容易に実現できるため、優れた芸人・パフォーマーの発掘にも寄与する。
【００１８】
この手法によると芸人・パフォーマーとユーザーのインターネットを介した独自のマッチングが形成されることにより、お互いの嗜好や希望、要望等が両者の間で疎通され、結果的に両者の距離が縮まり、既存の流通システムで重要な地位たる芸能プロダクションの役割が大幅に縮小される。
【００１９】
よって、双方向の意見交換が進み、より良い芸術作品の創作が促進される。
【００２０】
さらには、インターネットを利用することによって、インターネット接続環境があれば場所に依存しないため、これまで芸人・パフォーマーには不便であった地域の潜在的な需要を掘り起こすことができる。
【発明を実施するための最良の形態】
【００２１】
以下、本発明の実施の形態につき説明する。
【００２２】
芸人・パフォーマーの芸やパフォーマンスを始め、出演に関する諸条件はデータ化されて図１の芸人市場ドットコムwebsite内に蓄積され、その画像等の種類により管理、分類される。
【００２３】
その画像等データは、図１の画像公開ホームページ上で公開される。
【００２４】
一方、ユーザーは1会員登録ホームページにアクセスし会員登録の申し込みをすることで、会員管理データベースに登録される。
【００２５】
ユーザーは、画像等公開ホームページへのアクセス、２のように公開された画像の諸条件による検索・動画閲覧が出来る。会員管理データベースに登録された会員は、以上に加え、出演料の確認、出演の依頼が可能となる。さらに、定期的に大衆芸能に対する情報を適宜受けることが出来る。
【００２６】
登録された会員は、３のようにホームページにアクセスし画像データ等を閲覧し、出演等を希望するものに対してサイトを通じて出演依頼を行う。
【００２７】
芸人・パフォーマーは４動画・プロフィールを登録して出演依頼について芸人市場ドットコムを通して受け付ける。これがデータベースにて、集計される。
【００２８】
芸人・パフォーマーから出演が了承され5、契約成立6し、イベント等へ出演となる。
【図面の簡単な説明】
【００２９】
【図１】本発明の、システムの概要を示す。
【図１】
2005234675.tif 000003